(57)【要約】端末装置は、ＤＣＩフォーマットを含む制御チャネルを受信し、ＰＵＳＣＨを送信し、前記ＤＣＩフォーマットは、上りリンクインデックス、および、ＨＡＲＱプロセス番号を示すための情報を含み、前記上りリンクインデックスの第１のビットが１にセットされている場合、前記ＰＵＳＣＨの送信を第１のサブフレームに調整し、前記上りリンクインデックスの第２のビットが１にセットされている場合、前記ＰＵＳＣＨの送信を第２のサブフレームに調整し、前記第２のビットに対応する前記ＰＵＳＣＨの前記ＨＡＲＱプロセス番号は、前記第１のビットおよび前記第２のビットの両方が１にセットされているかどうか、および、前記ＨＡＲＱプロセス番号を示すための情報に少なくとも基づいて与えられる。
2016171046.tif 000002
【特許請求の範囲】
【請求項１】
ＤＣＩ（Downlink Control Information）フォーマットを含む制御チャネルを受信する受信部と、
ＰＵＳＣＨ（Physical Uplink Shared Channel）を送信する送信部と、を備え、
前記ＤＣＩフォーマットは、上りリンクインデックス、および、ＨＡＲＱ（Hybrid Automatic Repeat reQuest）プロセス番号を示すための情報を含み、
前記送信部は、前記上りリンクインデックスの第１のビットが１にセットされている場合、前記ＰＵＳＣＨの送信を第１のサブフレームに調整し、
前記送信部は、前記上りリンクインデックスの第２のビットが１にセットされている場合、前記ＰＵＳＣＨの送信を第２のサブフレームに調整し、
前記第２のビットに対応する前記ＰＵＳＣＨの前記ＨＡＲＱプロセス番号は、前記第１のビットおよび前記第２のビットの両方が１にセットされているかどうか、および、前記ＨＡＲＱプロセス番号を示すための情報に少なくとも基づいて与えられる
端末装置。
【請求項２】
ＤＣＩ（Downlink Control Information）フォーマットを含む制御チャネルを送信する送信部と、
ＰＵＳＣＨ（Physical Uplink Shared Channel）を受信する受信部と、を備え、
前記ＤＣＩフォーマットは、上りリンクインデックス、および、ＨＡＲＱ（Hybrid Automatic Repeat reQuest）プロセス番号を示すための情報を含み、
前記上りリンクインデックスの第１のビットが１にセットされている場合、前記ＰＵＳＣＨの送信は第１のサブフレームに調整され、
前記上りリンクインデックスの第２のビットが１にセットされている場合、前記ＰＵＳＣＨの送信は第２のサブフレームに調整され、
前記第２のビットに対応する前記ＰＵＳＣＨの前記ＨＡＲＱプロセス番号は、前記第１のビットおよび前記第２のビットの両方が１にセットされているかどうか、および、前記ＨＡＲＱプロセス番号を示すための情報に少なくとも基づいて与えられる
基地局装置。
【請求項３】
端末装置に用いられる通信方法であって、
ＤＣＩ（Downlink Control Information）フォーマットを含む制御チャネルを受信し、
ＰＵＳＣＨ（Physical Uplink Shared Channel）を送信し、
前記ＤＣＩフォーマットは、上りリンクインデックス、および、ＨＡＲＱ（Hybrid Automatic Repeat reQuest）プロセス番号を示すための情報を含み、
前記上りリンクインデックスの第１のビットが１にセットされている場合、前記ＰＵＳＣＨの送信を第１のサブフレームに調整し、
前記上りリンクインデックスの第２のビットが１にセットされている場合、前記ＰＵＳＣＨの送信を第２のサブフレームに調整し、
前記第２のビットに対応する前記ＰＵＳＣＨの前記ＨＡＲＱプロセス番号は、前記第１のビットおよび前記第２のビットの両方が１にセットされているかどうか、および、前記ＨＡＲＱプロセス番号を示すための情報に少なくとも基づいて与えられる
通信方法。
【請求項４】
基地局装置に用いられる通信方法であって、
ＤＣＩ（Downlink Control Information）フォーマットを含む制御チャネルを送信し、
ＰＵＳＣＨ（Physical Uplink Shared Channel）を受信し、
前記ＤＣＩフォーマットは、上りリンクインデックス、および、ＨＡＲＱ（Hybrid Automatic Repeat reQuest）プロセス番号を示すための情報を含み、
前記上りリンクインデックスの第１のビットが１にセットされている場合、前記ＰＵＳＣＨの送信は第１のサブフレームに調整され、
前記上りリンクインデックスの第２のビットが１にセットされている場合、前記ＰＵＳＣＨの送信は第２のサブフレームに調整され、
前記第２のビットに対応する前記ＰＵＳＣＨの前記ＨＡＲＱプロセス番号は、前記第１のビットおよび前記第２のビットの両方が１にセットされているかどうか、および、前記ＨＡＲＱプロセス番号を示すための情報に少なくとも基づいて与えられる
通信方法。
【請求項５】
端末装置に実装される集積回路であって、
ＤＣＩ（Downlink Control Information）フォーマットを含む制御チャネルを受信する受信回路と、
ＰＵＳＣＨ（Physical Uplink Shared Channel）を送信する送信回路と、を備え、
前記ＤＣＩフォーマットは、上りリンクインデックス、および、ＨＡＲＱ（Hybrid Automatic Repeat reQuest）プロセス番号を示すための情報を含み、
前記送信回路は、前記上りリンクインデックスの第１のビットが１にセットされている場合、前記ＰＵＳＣＨの送信を第１のサブフレームに調整し、
前記送信回路は、前記上りリンクインデックスの第２のビットが１にセットされている場合、前記ＰＵＳＣＨの送信を第２のサブフレームに調整し、
前記第２のビットに対応する前記ＰＵＳＣＨの前記ＨＡＲＱプロセス番号は、前記第１のビットおよび前記第２のビットの両方が１にセットされているかどうか、および、前記ＨＡＲＱプロセス番号を示すための情報に少なくとも基づいて与えられる
集積回路。
【請求項６】
基地局装置に実装される集積回路であって、
ＤＣＩ（Downlink Control Information）フォーマットを含む制御チャネルを送信する送信回路と、
ＰＵＳＣＨ（Physical Uplink Shared Channel）を受信する受信回路と、を備え、
前記ＤＣＩフォーマットは、上りリンクインデックス、および、ＨＡＲＱ（Hybrid Automatic Repeat reQuest）プロセス番号を示すための情報を含み、
前記上りリンクインデックスの第１のビットが１にセットされている場合、前記ＰＵＳＣＨの送信は第１のサブフレームに調整され、
前記上りリンクインデックスの第２のビットが１にセットされている場合、前記ＰＵＳＣＨの送信は第２のサブフレームに調整され、
前記第２のビットに対応する前記ＰＵＳＣＨの前記ＨＡＲＱプロセス番号は、前記第１のビットおよび前記第２のビットの両方が１にセットされているかどうか、および、前記ＨＡＲＱプロセス番号を示すための情報に少なくとも基づいて与えられる
集積回路。
【発明の詳細な説明】
【技術分野】
【０００１】
本発明は、端末装置、基地局装置、集積回路、および、通信方法に関する。
本願は、２０１５年４月２４日に、日本に出願された特願２０１５−０８９３７８号に基づき優先権を主張し、その内容をここに援用する。
【背景技術】
【０００２】
セルラー移動通信の無線アクセス方式および無線ネットワーク（以下、「Long Term Evolution （LTE）」、「Evolved Universal Terrestrial Radio Access : EUTRA」、または、「Evolved Universal Terrestrial Radio Access Network: EUTRAN」と称する。）が、第三世代パートナーシッププロジェクト（3rd Generation Partnership Project: 3GPP）において検討されている。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。単一の基地局装置は複数のセルを管理してもよい。【０００３】
ＬＴＥは、時分割複信（Time Division Duplex: TDD）に対応している。ＴＤＤ方式を採用したＬＴＥをＴＤ−ＬＴＥまたはＬＴＥ  ＴＤＤとも称する。ＴＤＤにおいて、上りリンク信号と下りリンク信号が時分割多重される。また、ＬＴＥは、周波数分割複信（Frequency Division Duplex: FDD）に対応している。【０００４】
ＬＴＥは、ＭＡＣ（Medium Access Control）層においてＨＡＲＱ（Hybrid Automatic Repeat reQuest）機能（functionality）を提供する。下りリンクにおけるＨＡＲＱ機能は、非同期（asynchronous）適用（adaptive）ＨＡＲＱの特徴を持つ、そして、上りリンクにおけるＨＡＲＱ機能は、同期（synchronous）ＨＡＲＱの特徴を持つ（非特許文献１）。３ＧＰＰにおいて、上りリンクにおける非同期ＨＡＲＱの導入が検討されている（非特許文献２）。
【先行技術文献】
【非特許文献】
【０００５】
【非特許文献１】"3GPP TS 36.300 v12.4.0 Evolved Universal Terrestrial Radio Access (E-UTRA) and Evolved Universal Terrestrial Radio Access Network (E-UTRAN); Overall description; Stage 2", 7th November 2015.
【非特許文献２】"UL HARQ considerations for LTE LAA", R2-151551, NVIDIA,3GPP TSG RAN WG2 Meeting #89bis, 20th - 24th April 2015.
【発明の概要】
【発明が解決しようとする課題】
【０００６】
しかしながら、上りリンクにおいて非同期ＨＡＲＱを導入する際の具体的な方法は十分に検討されていない。例えば、上りリンクにおいて同期ＨＡＲＱと非同期ＨＡＲＱを切り替える手段について十分に検討されていない。また、例えば、上りリンクグラントが対応するＨＡＲＱプロセスを特定する手段について十分に検討されていない。また、例えば、ＨＡＲＱバッファの処理方法について十分に検討されていない。【０００７】
本発明は、基地局装置と効率的に通信することができる端末装置、該端末装置に実装される集積回路、該端末装置に用いられる通信方法、該端末装置と通信する基地局装置、該基地局装置に実装される集積回路、該基地局装置に用いられる通信方法を提供する。
【課題を解決するための手段】
【０００８】
（１）本発明の態様は、以下のような手段を講じた。すなわち、本発明の第１の態様は、端末装置であって、ＤＣＩ（Downlink Control Information）フォーマットを含む制御チャネルを受信する受信部と、ＰＵＳＣＨ（Physical Uplink Shared Channel）を送信する送信部と、を備え、前記ＤＣＩフォーマットは、上りリンクインデックス、および、ＨＡＲＱ（Hybrid Automatic Repeat reQuest）プロセス番号を示すための情報を含み、前記送信部は、前記上りリンクインデックスの第１のビットが１にセットされている場合、前記ＰＵＳＣＨの送信を第１のサブフレームに調整し、前記送信部は、前記上りリンクインデックスの第２のビットが１にセットされている場合、前記ＰＵＳＣＨの送信を第２のサブフレームに調整し、前記第２のビットに対応する前記ＰＵＳＣＨの前記ＨＡＲＱプロセス番号は、前記第１のビットおよび前記第２のビットの両方が１にセットされているかどうか、および、前記ＨＡＲＱプロセス番号を示すための情報に少なくとも基づいて与えられる。【０００９】
（２）また、本発明の第２の態様は、基地局装置であって、ＤＣＩ（Downlink Control Information）フォーマットを含む制御チャネルを送信する送信部と、ＰＵＳＣＨ（Physical Uplink Shared Channel）を受信する受信部と、を備え、前記ＤＣＩフォーマットは、上りリンクインデックス、および、ＨＡＲＱ（Hybrid Automatic Repeat reQuest）プロセス番号を示すための情報を含み、前記上りリンクインデックスの第１のビットが１にセットされている場合、前記ＰＵＳＣＨの送信は第１のサブフレームに調整され、前記上りリンクインデックスの第２のビットが１にセットされている場合、前記ＰＵＳＣＨの送信は第２のサブフレームに調整され、前記第２のビットに対応する前記ＰＵＳＣＨの前記ＨＡＲＱプロセス番号は、前記第１のビットおよび前記第２のビットの両方が１にセットされているかどうか、および、前記ＨＡＲＱプロセス番号を示すための情報に少なくとも基づいて与えられる。【００１０】
（３）また、本発明の第３の態様は、端末装置に用いられる通信方法であって、ＤＣＩ（Downlink Control Information）フォーマットを含む制御チャネルを受信し、ＰＵＳＣＨ（Physical Uplink Shared Channel）を送信し、前記ＤＣＩフォーマットは、上りリンクインデックス、および、ＨＡＲＱ（Hybrid Automatic Repeat reQuest）プロセス番号を示すための情報を含み、前記上りリンクインデックスの第１のビットが１にセットされている場合、前記ＰＵＳＣＨの送信を第１のサブフレームに調整し、前記上りリンクインデックスの第２のビットが１にセットされている場合、前記ＰＵＳＣＨの送信を第２のサブフレームに調整し、前記第２のビットに対応する前記ＰＵＳＣＨの前記ＨＡＲＱプロセス番号は、前記第１のビットおよび前記第２のビットの両方が１にセットされているかどうか、および、前記ＨＡＲＱプロセス番号を示すための情報に少なくとも基づいて与えられる。【００１１】
（４）また、本発明の第４の態様は、基地局装置に用いられる通信方法であって、ＤＣＩ（Downlink Control Information）フォーマットを含む制御チャネルを送信し、ＰＵＳＣＨ（Physical Uplink Shared Channel）を受信し、前記ＤＣＩフォーマットは、上りリンクインデックス、および、ＨＡＲＱ（Hybrid Automatic Repeat reQuest）プロセス番号を示すための情報を含み、前記上りリンクインデックスの第１のビットが１にセットされている場合、前記ＰＵＳＣＨの送信は第１のサブフレームに調整され、前記上りリンクインデックスの第２のビットが１にセットされている場合、前記ＰＵＳＣＨの送信は第２のサブフレームに調整され、前記第２のビットに対応する前記ＰＵＳＣＨの前記ＨＡＲＱプロセス番号は、前記第１のビットおよび前記第２のビットの両方が１にセットされているかどうか、および、前記ＨＡＲＱプロセス番号を示すための情報に少なくとも基づいて与えられる。【００１２】
（５）また、本発明の第５の態様は、端末装置に実装される集積回路であって、ＤＣＩ（Downlink Control Information）フォーマットを含む制御チャネルを受信する受信回路と、ＰＵＳＣＨ（Physical Uplink Shared Channel）を送信する送信回路と、を備え、前記ＤＣＩフォーマットは、上りリンクインデックス、および、ＨＡＲＱ（Hybrid Automatic Repeat reQuest）プロセス番号を示すための情報を含み、前記送信回路は、前記上りリンクインデックスの第１のビットが１にセットされている場合、前記ＰＵＳＣＨの送信を第１のサブフレームに調整し、前記送信回路は、前記上りリンクインデックスの第２のビットが１にセットされている場合、前記ＰＵＳＣＨの送信を第２のサブフレームに調整し、前記第２のビットに対応する前記ＰＵＳＣＨの前記ＨＡＲＱプロセス番号は、前記第１のビットおよび前記第２のビットの両方が１にセットされているかどうか、および、前記ＨＡＲＱプロセス番号を示すための情報に少なくとも基づいて与えられる。【００１３】
（６）また、本発明の第６の態様は、基地局装置に実装される集積回路であって、ＤＣＩ（Downlink Control Information）フォーマットを含む制御チャネルを送信する送信回路と、ＰＵＳＣＨ（Physical Uplink Shared Channel）を受信する受信回路と、を備え、前記ＤＣＩフォーマットは、上りリンクインデックス、および、ＨＡＲＱ（Hybrid Automatic Repeat reQuest）プロセス番号を示すための情報を含み、前記上りリンクインデックスの第１のビットが１にセットされている場合、前記ＰＵＳＣＨの送信は第１のサブフレームに調整され、前記上りリンクインデックスの第２のビットが１にセットされている場合、前記ＰＵＳＣＨの送信は第２のサブフレームに調整され、前記第２のビットに対応する前記ＰＵＳＣＨの前記ＨＡＲＱプロセス番号は、前記第１のビットおよび前記第２のビットの両方が１にセットされているかどうか、および、前記ＨＡＲＱプロセス番号を示すための情報に少なくとも基づいて与えられる。
【発明の効果】
【００１４】
この発明によれば、端末装置が、効率的に基地局装置と通信することができる。
【図面の簡単な説明】
【００１５】
【図１】本実施形態の無線通信システムの概念図である。
【図２】本実施形態におけるキャリアアグリゲーションが設定された上りリンクに対するＭＡＣ層の構造の一例を示す図である。
【図３】本実施形態におけるＤＣＩフォーマット０の一例を示す図である。
【図４】本実施形態の無線フレームの概略構成を示す図である。
【図５】本実施形態におけるＵＬ−ＤＬ設定の一例を示す表である。
【図６】本実施形態における同期ＨＡＲＱの一例を示す図である。
【図７】本実施形態における非同期ＨＡＲＱの一例を示す図である。
【図８】本実施形態におけるＴＤＤサービングセルに対応するＨＡＲＱエンティティが並行して管理するＨＡＲＱプロセスの最大数の一例を示す図である。
【図９】本実施形態におけるＴＤＤサービングセルに対応するＨＡＲＱエンティティが並行して管理するＨＡＲＱプロセスの最大数の別の例を示す図である。
【図１０】本実施形態における同期ＨＡＲＱと非同期ＨＡＲＱを切り替える手段の第１の例を示す図である。
【図１１】本実施形態における同期ＨＡＲＱと非同期ＨＡＲＱを切り替える手段の第２の例を示す図である。
【図１２】本実施形態における同期ＨＡＲＱと非同期ＨＡＲＱを切り替える手段の第３の例を示す図である。
【図１３】本実施形態における同期ＨＡＲＱと非同期ＨＡＲＱを切り替える手段の第４の例を示す図である。
【図１４】本実施形態におけるランダムアクセスレスポンスの一例を示す図である。
【図１５】本実施形態における拡張されたＭＡＣ  ＲＡＲの一例を示す図である。
【図１６】本実施形態の端末装置１の構成を示す概略ブロック図である。
【図１７】本実施形態の基地局装置３の構成を示す概略ブロック図である。
【発明を実施するための形態】
【００１６】
以下、本発明の実施形態について説明する。
【００１７】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００１８】
以下、キャリアアグリゲーションについて説明する。
【００１９】
本実施形態では、端末装置１は、複数のサービングセルが設定される。端末装置１が複数のサービングセルを介して通信する技術をセルアグリゲーション、またはキャリアアグリゲーションと称する。端末装置１に対して設定される複数のサービングセルのそれぞれにおいて、本発明が適用されてもよい。また、設定された複数のサービングセルの一部において、本発明が適用されてもよい。また、設定された複数のサービングセルのグループのそれぞれにおいて、本発明が適用されてもよい。また、設定された複数のサービングセルのグループの一部において、本発明が適用されてもよい。キャリアアグリゲーションにおいて、設定された複数のサービングセルを集約されたサービングセルとも称する。
【００２０】
本実施形態の無線通信システムは、ＴＤＤ（Time Division Duplex）および／またはＦＤＤ（Frequency Division Duplex）が適用される。セルアグリゲーションの場合には、複数のサービングセルの全てに対してＦＤＤが適用されてもよい。セルアグリゲーションの場合には、複数のサービングセルの全てに対してＴＤＤが適用されてもよい。また、セルアグリゲーションの場合には、ＴＤＤが適用されるサービングセルとＦＤＤが適用されるサービングセルが集約されてもよい。
【００２１】
設定された複数のサービングセルは、１つのプライマリーセルと１つまたは複数のセカンダリーセルとを含む。プライマリーセルは、初期コネクション確立（initial connection establishment）プロシージャが行なわれたセル、コネクション再確立（connection re-establishment）プロシージャを開始したセル、または、ハンドオーバプロシージャにおいてプライマリーセルと指示されたセルである。ＲＲＣ（Radio Resource Control）コネクションが確立された時点、または、後に、セカンダリーセルが設定／追加されてもよい。
【００２２】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。ＦＤＤにおいて、上りリンクコンポーネントキャリアと下りリンクコンポーネントキャリアは、異なるキャリア周波数に対応する。ＴＤＤにおいて、上りリンクコンポーネントキャリアと下りリンクコンポーネントキャリアは、同じキャリア周波数に対応する。
【００２３】
端末装置１は、複数のサービングセル（コンポーネントキャリア）において同時に複数の物理チャネルでの送信、および／または受信を行うことができる。１つの物理チャネルは、複数のサービングセル（コンポーネントキャリア）のうち１つのサービングセル（コンポーネントキャリア）において送信される。
【００２４】
図２は、本実施形態におけるキャリアアグリゲーションが設定された上りリンクに対するＭＡＣ層の構造の一例を示す図である。キャリアアグリゲーションが設定された上りリンクにおいて、サービングセル（上りリンクコンポーネントキャリア）毎に１つの独立したＨＡＲＱエンティティ（entity）が存在する。ＨＡＲＱエンティティは、複数のＨＡＲＱプロセスを並行して管理する。ＨＡＲＱプロセスはＨＡＲＱバッファに関連する。すなわち、ＨＡＲＱエンティティは複数のＨＡＲＱバッファに関連する。ＨＡＲＱプロセスは、ＭＡＣ層のデータをＨＡＲＱバッファにストアする。ＨＡＲＱプロセスは、該ＭＡＣ層のデータを送信するよう物理層に指示する。
【００２５】
キャリアアグリゲーションが設定された上りリンクにおいて、サービングセル毎にＴＴＩ（Transmission Time Interval）毎に少なくとも１つのトランスポートブロックが生成される。トランスポートブロックのそれぞれ、および、そのトランスポートブロックのＨＡＲＱ再送信は、１つのサービングセルにマップされる。尚、ＬＴＥにおいて、ＴＴＩはサブフレームである。トランスポートブロックは、ＵＬ−ＳＣＨ（uplink shared channel）で送信されるＭＡＣ層のデータである。
【００２６】
本実施形態の上りリンクにおいて、「トランスポートブロック」、「ＭＡＣ  ＰＤＵ（Protocol Data Unit）」、「ＭＡＣ層のデータ」、「ＵＬ−ＳＣＨ」、「ＵＬ−ＳＣＨデータ」、および、「上りリンクデータ」は、同一のものとする。
【００２７】
本実施形態の物理チャネルおよび物理信号について説明する。
【００２８】
端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２９】
ＰＵＣＣＨは、上りリンク制御情報（Uplink Control Information: UCI）を送信するために用いられる。上りリンク制御情報は、下りリンクのチャネル状態情報（Channel State Information: CSI）、初期送信のためのＰＵＳＣＨ（Uplink-Shared Channel: UL-SCH）リソースを要求するために用いられるスケジューリングリクエスト（Scheduling Request: SR）、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫ（Hybrid Automatic Repeat request ACKnowledgement）を含む。ＨＡＲＱ−ＡＣＫは、ＡＣＫ（acknowledgement）またはＮＡＣＫ（negative-acknowledgement）を示す。ＨＡＲＱ−ＡＣＫを、ＡＣＫ／ＮＡＣＫ、ＨＡＲＱフィードバック、ＨＡＲＱ応答、または、ＨＡＲＱ制御情報とも称する。
【００３０】
スケジューリングリクエストは、正のスケジューリングリクエスト（positive scheduling request）、または、負のスケジューリングリクエスト（negative scheduling request）を含む。正のスケジューリングリクエストは、初期送信のためのＵＬ−ＳＣＨリソースを要求することを示す。負のスケジューリングリクエストは、初期送信のためのＵＬ−ＳＣＨリソースを要求しないことを示す。
【００３１】
ＰＵＳＣＨは、上りリンクデータ（Uplink-Shared Channel: UL-SCH）を送信するために用いられる。また、ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみを送信するために用いられてもよい。また、ＰＵＳＣＨはＨＡＲＱ−ＡＣＫおよびチャネル状態情報のみを送信するために用いられてもよい。
【００３２】
ここで、基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリングを送受信してもよい。また、基地局装置３と端末装置１は、媒体アクセス制御（MAC: Medium Access Control）層において、ＭＡＣ  ＣＥを送受信してもよい。ここで、ＲＲＣシグナリング、および／または、ＭＡＣ  ＣＥを、上位層の信号（higher layer signaling）とも称する。ＲＲＣシグナリング、および／または、ＭＡＣ  ＣＥは、トランスポートブロックに含まれる。
【００３３】
本実施形態において、「ＲＲＣシグナリング」、「ＲＲＣ層の情報」、「ＲＲＣ層の信号」、「ＲＲＣ層のパラメータ」、「ＲＲＣメッセージ」、および、「ＲＲＣ情報要素」は、同一のものとする。
【００３４】
ＰＵＳＣＨは、ＲＲＣシグナリング、および、ＭＡＣ  ＣＥを送信するために用いられる。ここで、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）であっても良い。すなわち、ユーザ装置スペシフィック（ユーザ装置固有）な情報は、ある端末装置１に対して専用のシグナリングを用いて送信される。
【００３５】
ＰＲＡＣＨは、ランダムアクセスプリアンブルを送信するために用いられる。ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、およびＰＵＳＣＨ（ＵＬ−ＳＣＨ）リソースの要求を示すために用いられる。
【００３６】
上りリンクの無線通信では、以下の上りリンク物理信号が用いられる。上りリンク物理信号は、上位層から出力された情報を送信するために使用されないが、物理層によって使用される。
・上りリンク参照信号（Uplink Reference Signal: UL RS）
【００３７】
基地局装置３から端末装置１への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００３８】
ＰＢＣＨは、端末装置１で共通に用いられるマスターインフォメーションブロック（Master Information Block: MIB, Broadcast Channel: BCH）を報知するために用いられる。
【００３９】
ＰＣＦＩＣＨは、ＰＤＣＣＨの送信に用いられる領域（ＯＦＤＭシンボル）を指示する情報を送信するために用いられる。
【００４０】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００４１】
ＰＤＣＣＨおよびＥＰＤＣＣＨは、下りリンク制御情報（Downlink Control Information: DCI）を送信するために用いられる。本実施形態において、便宜的に「ＰＤＣＣＨ」は「ＥＰＤＣＣＨ」を含むとする。下りリンク制御情報を、ＤＣＩフォーマットとも称する。１つのＰＤＣＣＨで送信される下りリンク制御情報は、下りリンクグラント（downlink grant）およびＨＡＲＱ情報、または、上りリンクグラント（uplink grant）およびＨＡＲＱ情報を含む。下りリンクグラントは、下りリンクアサインメント（downlink assignment）または下りリンク割り当て（downlink allocation）とも称する。下りリンクアサインメントおよび上りリンクグラントは、１つのＰＤＣＣＨで一緒に送信されない。
【００４２】
図３は、本実施形態におけるＤＣＩフォーマット０の一例を示す図である。ＤＣＩフォーマット０は、上りリンクグラント、および、ＨＡＲＱ情報を含む。ＵＬ−ＤＬ設定（uplink-downlink configuration）０が設定されるサービングセルに対するＤＣＩフォーマット０は、ＵＬインデックスフィールドを含んでもよい。ＵＬインデックスは、ＤＣＩフォーマット０によってスケジュールされるＰＵＳＣＨ送信が調整されるサブフレームを指示する。ＵＬインデックスは第１のビットと第２のビットを含む。端末装置１は、ＵＬインデックスの第１のビットに“１”がセットされている場合、ＰＵＳＣＨ送信を第１のサブフレームに調整する。端末装置１は、ＵＬインデックスの第２のビットに“１”がセットされている場合、ＰＵＳＣＨ送信を第２のサブフレームに調整する。端末装置１は、第１のビットと第２のビットの両方に“１”がセットされている場合、第１のサブフレームおよび第２のサブフレームのそれぞれにＰＵＳＣＨ送信を調整する。
【００４３】
下りリンクアサインメントは、単一のセル内の単一のＰＤＳＣＨのスケジューリングに用いられる。下りリンクアサインメントは、該下りリンクグラントが送信されたサブフレームと同じサブフレーム内のＰＤＳＣＨのスケジューリングに用いられる。
【００４４】
上りリンクグラントは、単一のセル内の単一のＰＵＳＣＨのスケジューリングに用いられる。上りリンクグラントは、該上りリンクグラントが送信されたサブフレームより後のサブフレーム内の単一のＰＵＳＣＨのスケジューリングに用いられる。
【００４５】
ＨＡＲＱ情報は、ＮＤＩ（New Data Indicator）およびトランスポートブロックサイズを示すための情報を含む。下りリンクアサインメントとともにＰＤＣＣＨで送信されるＨＡＲＱ情報は、下りリンクにおけるＨＡＲＱプロセスの番号を示す情報（downlink HARQ process Identifier/Identity, downlink HARQ process number）も含む。非同期（asynchronous）ＨＡＲＱに関する上りリンクグラントとともにＰＤＣＣＨで送信されるＨＡＲＱ情報は、上りリンクにおけるＨＡＲＱプロセスの番号を示す情報（uplink HARQ process Identifier/Identity, uplink HARQ process number）も含んでもよい。同期（synchronous）ＨＡＲＱに関する上りリンクグラントとともにＰＤＣＣＨで送信されるＨＡＲＱ情報は、上りリンクにおけるＨＡＲＱプロセスの番号を示す情報（uplink HARQ process Identifier/Identity, uplink HARQ process number）を含まなくてもよい。
【００４６】
ＮＤＩは、初期送信、または、再送信を指示する。ＨＡＲＱエンティティは、あるＨＡＲＱプロセスに対して、ＨＡＲＱ情報によって提供されるＮＤＩが、該あるＨＡＲＱプロセスの前の送信に対するＮＤＩの値と比較してトグルされている場合、該ＨＡＲＱプロセスに初期送信をトリガーするよう指示する。ＨＡＲＱエンティティは、あるＨＡＲＱプロセスに対して、ＨＡＲＱ情報によって提供されるＮＤＩが、該あるＨＡＲＱプロセスの前の送信に対するＮＤＩの値と比較してトグルされていない場合、該ＨＡＲＱプロセスに再送信をトリガーするよう指示する。尚、ＨＡＲＱプロセスが、ＮＤＩがトグルされているかどうかを判定してもよい。
【００４７】
ＨＡＲＱエンティティは、上りリンクグラント、および、ＨＡＲＱ情報が対応するＨＡＲＱプロセスを特定し、特定したＨＡＲＱプロセスに上りリンクグラント、および、ＨＡＲＱ情報を渡す。ＨＡＲＱプロセスは、ＨＡＲＱエンティティから渡された上りリンクグラント、および、ＨＡＲＱ情報を記憶（store）する。
【００４８】
１つのＰＤＣＣＨで送信される下りリンク制御情報に付加されるＣＲＣ（Cyclic Redundancy Check）パリティビットは、Ｃ−ＲＮＴＩ（Cell-Radio Network Temporary Identifier）、ＳＰＳ（Semi Persistent Scheduling）Ｃ−ＲＮＴＩ、または、Ｔｅｍｐｏｒａｒｙ  Ｃ−ＲＮＴＩでスクランブルされる。Ｃ−ＲＮＴＩおよびＳＰＳ  Ｃ−ＲＮＴＩは、セル内において端末装置を識別するための識別子である。Ｔｅｍｐｏｒａｒｙ  Ｃ−ＲＮＴＩは、コンテンションベースランダムアクセス手順（contention based random access procedure）中に、ランダムアクセスプリアンブルを送信した端末装置１を識別するための識別子である。
【００４９】
Ｃ−ＲＮＴＩおよびＴｅｍｐｏｒａｒｙ  Ｃ−ＲＮＴＩは、単一のサブフレームにおけるＰＤＳＣＨ送信またはＰＵＳＣＨ送信を制御するために用いられる。ＳＰＳ  Ｃ−ＲＮＴＩは、ＰＤＳＣＨまたはＰＵＳＣＨのリソースを周期的に割り当てるために用いられる。
【００５０】
ＰＤＳＣＨは、下りリンクデータ（Downlink Shared Channel: DL-SCH）を送信するために用いられる。
【００５１】
ＰＭＣＨは、マルチキャストデータ（Multicast Channel: MCH）を送信するために用いられる。
【００５２】
下りリンクの無線通信では、以下の下りリンク物理信号が用いられる。下りリンク物理信号は、上位層から出力された情報を送信するために使用されないが、物理層によって使用される。
・同期信号（Synchronization signal: SS）
・下りリンク参照信号（Downlink Reference Signal: DL RS）
【００５３】
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００５４】
下りリンク参照信号は、端末装置１が下りリンク物理チャネルの伝搬路補正を行なうために用いられる。下りリンク参照信号は、端末装置１が下りリンクのチャネル状態情報を算出するために用いられる。
【００５５】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００５６】
下りリンク物理チャネルおよび下りリンク物理信号を総称して、下りリンク信号と称する。上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００５７】
ＢＣＨ、ＭＣＨ、ＵＬ−ＳＣＨおよびＤＬ−ＳＣＨは、トランスポートチャネルである。ＭＡＣ（Medium Access Control）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００５８】
本実施形態の無線フレーム（radio frame）の構造（structure）について説明する。
【００５９】
ＬＴＥでは、２つの無線フレーム構造がサポートされる。２つの無線フレーム構造は、フレーム構造タイプ１とフレーム構造タイプ２である。フレーム構造タイプ１はＦＤＤに適用可能である。フレーム構造タイプ２はＴＤＤに適用可能である。
【００６０】
図４は、本実施形態の無線フレームの概略構成を示す図である。図４において、横軸は時間軸である。また、タイプ１およびタイプ２の無線フレームのそれぞれは、１０ｍｓ長であり、１０のサブフレームによって定義される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。
【００６１】
フレーム構造タイプ２に対して、以下の３つのタイプのサブフレームが定義される。
・下りリンクサブフレーム
・上りリンクサブフレーム
・スペシャルサブフレーム
【００６２】
下りリンクサブフレームは下りリンク送信のためにリザーブされるサブフレームである。上りリンクサブフレームは上りリンク送信のためにリザーブされるサブフレームである。スペシャルサブフレームは３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。ＤｗＰＴＳ、ＧＰ、およびＵｐＰＴＳの合計の長さは１ｍｓである。ＤｗＰＴＳは下りリンク送信のためにリザーブされるフィールドである。ＵｐＰＴＳは上りリンク送信のためにリザーブされるフィールドである。ＧＰは下りリンク送信および上りリンク送信が行なわれないフィールドである。尚、スペシャルサブフレームは、ＤｗＰＴＳおよびＧＰのみによって構成されてもよいし、ＧＰおよびＵｐＰＴＳのみによって構成されてもよい。
【００６３】
フレーム構造タイプ２の無線フレームは、少なくとも下りリンクサブフレーム、上りリンクサブフレーム、およびスペシャルサブフレームから構成される。フレーム構造タイプ２の無線フレームの構成は、ＵＬ−ＤＬ設定（uplink-downlink configuration）によって示される。端末装置１は、基地局装置３からＵＬ−ＤＬ設定を示す情報を受信する。図５は、本実施形態におけるＵＬ−ＤＬ設定の一例を示す表である。図５において、Ｄは下りリンクサブフレームを示し、Ｕは上りリンクサブフレームを示し、Ｓはスペシャルサブフレームを示す。
【００６４】
以下、上りリンクにおける同期ＨＡＲＱについて説明する。
【００６５】
同期ＨＡＲＱにおいて、上りリンクグラントが対応するＨＡＲＱプロセスは、上りリンクグラントを受信したサブフレーム、および／または、上りリンクグラントに対応するＰＵＳＣＨ（ＵＬ−ＳＣＨ）が送信されるサブフレームに関連する。端末装置１は、同期ＨＡＲＱにおいて、上りリンクグラントが対応するＨＡＲＱプロセスを、上りリンクグラントを受信したサブフレーム、および／または、上りリンクグラントに対応するＰＵＳＣＨ（ＵＬ−ＳＣＨ）が送信されるサブフレームから導き出す。
【００６６】
図６は、本実施形態における同期ＨＡＲＱの一例を示す図である。図６において、１つのサブフレームは、１つのＨＡＲＱプロセスに対応する。図６において、四角の中の数字は対応するＨＡＲＱプロセスの番号を示す。同期ＨＡＲＱにおいて、ＨＡＲＱエンティティは、ＨＡＲＱプロセスを、ＭＡＣ層のデータが送信されるサブフレーム、または、ＭＡＣ層のデータに対応するＤＣＩフォーマット０を検出したサブフレームから導き出される。
【００６７】
図６において、ＵＬグラントに対応するＭＡＣ層のデータが送信されるサブフレームは、ＵＬグラントを受信したサブフレームから導き出される。例えば、ＵＬグラントを受信したサブフレームより４つ後のサブフレームにおいて、該ＵＬグラントに対応するＭＡＣ層のデータがＰＵＳＣＨで送信される。
【００６８】
同期ＨＡＲＱにおいて、上りリンク送信に応答してＨＡＲＱインディケータがＰＨＩＣＨで送信される。上りリンク送信が行われたサブフレームと、対応するＰＨＩＣＨが送信されるサブフレームの対応は、予め定められている。例えば、ＰＵＳＣＨでＭＡＣ層のデータを送信したサブフレームより４つ後のサブフレームにおいて、該ＭＡＣ層のデータに対するＨＡＲＱインディケータがＰＨＩＣＨで送信される。また、例えば、ＰＨＩＣＨでＮＡＣＫを受信したサブフレームより４つ後のサブフレームにおいて、ＭＡＣ層のデータがＰＵＳＣＨで再送信される。
【００６９】
以下、上りリンクにおける非同期ＨＡＲＱについて説明する。
【００７０】
図７は、本実施形態における非同期ＨＡＲＱの一例を示す図である。図７において、１つのサブフレームは、１つのＨＡＲＱプロセスに対応する。図７において、四角の中の数字は対応するＨＡＲＱプロセスの番号を示す。非同期ＨＡＲＱにおいて、ＨＡＲＱエンティティは、ＨＡＲＱプロセスを、ＤＣＩフォーマット０に含まれるＨＡＲＱ情報（ＨＡＲＱプロセスの番号を示す情報）から導き出す。非同期ＨＡＲＱにおいて、上りリンク送信に応答してＨＡＲＱインディケータがＰＨＩＣＨで送信されない。すなわち、非同期ＨＡＲＱにおいて、ＭＡＣ層のデータの再送信は常にＰＤＣＣＨを介してスケジュールされる。
【００７１】
図７において、ＵＬグラントに対応するＭＡＣ層のデータが送信されるサブフレームは、ＵＬグラントを受信したサブフレームから導き出される。例えば、ＵＬグラントを受信したサブフレームより４つ後のサブフレームにおいて、該ＵＬグラントに対応するＭＡＣ層のデータがＰＵＳＣＨで送信される。
【００７２】
ＤＣＩフォーマット０にＵＬインデックスが含まれる場合、該ＤＣＩフォーマットにＨＡＲＱプロセスを示す２つの情報が含まれてもよい。ＤＣＩフォーマット０にＵＬインデックスが含まれ、ＵＬインデックス内の第１のビットおよび第２のビットの両方が“１”にセットされている場合、ＨＡＲＱプロセスの番号を示す２つの情報が示す２つのＨＡＲＱプロセスの一方が、ＰＵＳＣＨ送信が調整される第１のサブフレームに対応し、ＨＡＲＱプロセスの番号を示す２つの情報が示す２つのＨＡＲＱプロセスの他方が第２のサブフレームに対応してもよい。
【００７３】
ＤＣＩフォーマット０にＵＬインデックスが含まれる場合、該ＤＣＩフォーマットにＨＡＲＱプロセスを示す１つの情報が含まれてもよい。ＤＣＩフォーマット０にＵＬインデックスが含まれ、ＵＬインデックス内の第１のビットおよび第２のビットの両方が“１”にセットされている場合、ＨＡＲＱプロセスの番号を示す１つの情報が示す１つのＨＡＲＱプロセスが、ＰＵＳＣＨ送信が調整される第１のサブフレームおよび第２のサブフレームの両方に対応してもよい。
【００７４】
ＤＣＩフォーマット０にＵＬインデックスが含まれ、ＵＬインデックス内の第１のビットが“１”にセットされ、ＵＬインデックス内の第２のビットが“０”にセットされている場合、ＨＡＲＱ情報（ＨＡＲＱプロセスの番号を示す情報）が示す１つのＨＡＲＱプロセスＸが、第１のサブフレームに調整されるＰＵＳＣＨ送信に対応してもよい。ＤＣＩフォーマット０にＵＬインデックスが含まれ、ＵＬインデックス内の第１のビットが“０”にセットされ、ＵＬインデックス内の第２のビットが“１”にセットされている場合、ＨＡＲＱ情報（ＨＡＲＱプロセスの番号を示す情報）が示す１つのＨＡＲＱプロセスＸが、第２のサブフレームに調整されるＰＵＳＣＨ送信に対応してもよい。ＤＣＩフォーマット０にＵＬインデックスが含まれ、ＵＬインデックス内の第１のビットおよび第２のビットの両方が“１”にセットされている場合、ＨＡＲＱ情報（ＨＡＲＱプロセスの番号を示す情報）が示す１つのＨＡＲＱプロセスＸが、第１のサブフレームに調整されるＰＵＳＣＨ送信（第１のビットに対応するＰＵＳＣＨ送信）に対応し、且つ、ＨＡＲＱプロセスＸから導き出されるＨＡＲＱプロセスＹが第２のサブフレームに調整されるＰＵＳＣＨ送信（第２のビットに対応するＰＵＳＣＨ送信）に対応してもよい。ここで、ＸとＹは、Ｙ＝（Ｘ＋１）ｍｏｄＺという関係であってもよい。ここで、Ｚは、ＨＡＲＱエンティティが並行して管理するＨＡＲＱプロセスの最大数である。すなわち、ＵＬインデックス内の第２のビットに対応するＰＵＳＣＨのＨＡＲＱプロセス番号は、ＵＬインデックス内の第１のビットおよび第２のビットの両方が１にセットされているかどうか、および、前記ＨＡＲＱプロセス番号を示すための情報に少なくとも基づいて与えられる。
【００７５】
以下、１つのＨＡＲＱプロセスが並行して管理するＨＡＲＱプロセスの最大数Ｚについて説明する。
【００７６】
ＦＤＤサービングセルに対応する１つのＨＡＲＱエンティティは、並行して８つのＨＡＲＱプロセスを管理する。非同期ＨＡＲＱが適用されるＦＤＤサービングセルに対するＤＣＩフォーマット０に含まれるＨＡＲＱプロセスの番号を示す情報は３ビットであってもよい。
【００７７】
図８は、本実施形態におけるＴＤＤサービングセルに対応するＨＡＲＱエンティティが並行して管理するＨＡＲＱプロセスの最大数の一例を示す図である。ＴＤＤサービングセルに対応する１つのＨＡＲＱエンティティが管理するＨＡＲＱプロセスの最大数は、該ＴＤＤサービングセルに対して設定されるＵＬ−ＤＬ設定から導き出されてもよい。非同期ＨＡＲＱが適用されるＴＤＤサービングセルに対するＤＣＩフォーマット０に含まれるＨＡＲＱプロセスの番号を示す情報は、該ＴＤＤサービングセルに対して設定されるＵＬ−ＤＬ設定から導き出されてもよい。図８において、非同期ＨＡＲＱが適用されるＴＤＤサービングセルに対してＵＬ−ＤＬ設定５が設定される場合、該ＴＤＤサービングセルに対するＤＣＩフォーマット０に含まれるＨＡＲＱプロセスの番号を示す情報は０ビットである。
【００７８】
図９は、本実施形態におけるＴＤＤサービングセルに対応するＨＡＲＱエンティティが並行して管理するＨＡＲＱプロセスの最大数の別の例を示す図である。ＴＤＤサービングセルに対応する１つのＨＡＲＱエンティティが管理するＨＡＲＱプロセスの最大数は、該ＴＤＤサービングセルに対して同期ＨＡＲＱと非同期ＨＡＲＱの何れが適用されるかに基づいてもよい。図９において、ＴＤＤサービングセルに同期ＨＡＲＱが適用される場合、該ＴＤＤサービングセルに対応する１つのＨＡＲＱエンティティが管理するＨＡＲＱプロセスの最大数は、該ＴＤＤサービングセルに対して設定されるＵＬ−ＤＬ設定から導き出される。図９において、ＴＤＤサービングセルに非同期ＨＡＲＱが適用される場合、該ＴＤＤサービングセルに対応する１つのＨＡＲＱエンティティが管理するＨＡＲＱプロセスの最大数は、ＵＬ−ＤＬ設定に関わらず、８である。
【００７９】
ＴＤＤサービングセルに対するＤＣＩフォーマット０に含まれるＨＡＲＱプロセスの番号を示す情報のビット数は、該ＴＤＤサービングセルに対して同期ＨＡＲＱと非同期ＨＡＲＱの何れが適用されるかに基づいてもよい。図９において、ＴＤＤサービングセルに非同期ＨＡＲＱが適用される場合、該ＴＤＤサービングセルに対するＤＣＩフォーマット０に含まれるＨＡＲＱプロセスの番号を示す情報のビット数は、ＵＬ−ＤＬ設定に関わらず、３ビットである。
【００８０】
以下、ＲＲＣ層におけるＨＡＲＱに関する設定について図１０から図１３を参照して説明する。
【００８１】
端末装置１は、上りリンクコンポーネントキャリアを持つサービングセル毎に、または、ＨＡＲＱエンティティ毎に、同期ＨＡＲＱおよび非同期ＨＡＲＱの何れが適用されるかを制御してもよい。すなわち、同期ＨＡＲＱが適用されるＨＡＲＱプロセスと、非同期ＨＡＲＱが適用されるＨＡＲＱプロセスは同じサービングセルに対応しなくてもよい。すなわち、同期ＨＡＲＱが適用されるＨＡＲＱプロセスと、非同期ＨＡＲＱが適用されるＨＡＲＱプロセスは同じＨＡＲＱエンティティに対応しなくてもよい。
【００８２】
基地局装置３は、あるサービングセルに対して、非同期ＨＡＲＱを指示するＲＲＣ層の情報を端末装置１に送信してもよい。端末装置１は、ＲＲＣ層において非同期ＨＡＲＱを指示するＲＲＣ層の情報が設定されている場合、対応するサービングセル（対応するサービングセルにおける送信）に非同期ＨＡＲＱを適用してもよい。端末装置１は、ＲＲＣ層において非同期ＨＡＲＱを指示するＲＲＣ層の情報が設定されていない場合、対応するサービングセルに同期ＨＡＲＱを適用してもよい。非同期ＨＡＲＱを指示するＲＲＣ層の情報は、非同期ＨＡＲＱの有効（enable）を示す情報であってもよい。
【００８３】
基地局装置３は、あるサービングセルに対して、同期ＨＡＲＱまたは非同期ＨＡＲＱを指示するＲＲＣ層の情報を端末装置１に送信してもよい。端末装置１は、ＲＲＣ層において非同期ＨＡＲＱを指示するＲＲＣ層の情報が設定されている場合、対応するサービングセルに非同期ＨＡＲＱを適用してもよい。端末装置１は、ＲＲＣ層において同期ＨＡＲＱを指示するＲＲＣ層の情報が設定されていない場合、対応するサービングセルに同期ＨＡＲＱを適用してもよい。
【００８４】
図１０は、本実施形態における同期ＨＡＲＱと非同期ＨＡＲＱを切り替える手段の第１の例を示す図である。図１０において、サービングセルの上りリンクにおいて、同期ＨＡＲＱおよび非同期ＨＡＲＱの何れが適用されるかはサービングセルのタイプ（プライマリーセル、セカンダリーセル）から導き出される。図１０において、ＲＲＣ層の情報に関わらず、プライマリーセルの上りリンク（プライマリーセルにおける上りリンクの送信）に対して常に同期ＨＡＲＱが適用される。図１０において、セカンダリーセルの上りリンク（セカンダリーセルにおける上りリンクの送信）に対して、セカンダリーセルに対するＲＲＣ層の情報に基づいて、同期ＨＡＲＱまたは非同期ＨＡＲＱが適用される。これによって、上りリンクにおいて常に同期ＨＡＲＱが適用されるようプライマリーセルを用いて、セカンダリーセルに同期ＨＡＲＱまたは非同期ＨＡＲＱの何れが適用されるかをＲＲＣ層において制御することが可能になる。
【００８５】
図１１は、本実施形態における同期ＨＡＲＱと非同期ＨＡＲＱを切り替える手段の第２の例を示す図である。図１１において、上りリンクにおいて、同期ＨＡＲＱおよび非同期ＨＡＲＱの何れが適用されるかは、上りリンクグラントが対応するＲＮＴＩ（Radio Network Temporary Identifier）から導き出される。図１１において、ＲＲＣ層の情報に関わらず、Ｔｅｍｐｏｒａｒｙ  Ｃ−ＲＮＴＩまたはＳＰＳ  Ｃ−ＲＮＴＩによってスクランブルされたＣＲＣパリティビットを含むＰＤＣＣＨで受信された上りリンクグラントに対応するＭＡＣ層のデータ（上りリンクデータの送信）に対して、常に同期ＨＡＲＱが適用される。図１１において、Ｃ−ＲＮＴＩによってスクランブルされたＣＲＣパリティビットを含むＰＤＣＣＨで受信された上りリンクグラントに対応するＭＡＣ層のデータに対して、ＲＲＣ層の情報に基づいて、同期ＨＡＲＱまたは非同期ＨＡＲＱが適用される。
【００８６】
図１２は、本実施形態における同期ＨＡＲＱと非同期ＨＡＲＱを切り替える手段の第３の例を示す図である。図１２において、上りリンクにおいて、同期ＨＡＲＱおよび非同期ＨＡＲＱの何れが適用されるかは、上りリンクグラントが受信されたサーチスペースのタイプから導き出される。図１２において、ＲＲＣ層の情報に関わらず、コモンサーチスペース（Common Search Space）で受信された上りリンクグラントに対応するＭＡＣ層のデータに対して、常に同期ＨＡＲＱが適用される。図１２において、ＵＥ固有サーチスペース（UE-specific Search Space）で受信された上りリンクグラントに対応するＭＡＣ層のデータに対して、ＲＲＣ層の情報に基づいて、同期ＨＡＲＱまたは非同期ＨＡＲＱが適用される。
【００８７】
ＵＥ固有サーチスペースは、少なくとも、端末装置１がセットしているＣ−ＲＮＴＩの値から導き出される。すなわち、ＵＥ固有サーチスペースは、端末装置１毎に個別に導き出される。コモンサーチスペースは、複数の端末装置１の間で共通のサーチスペースである。非同期ＨＡＲＱをサポートしない端末装置１および非同期ＨＡＲＱをサポートする端末装置１は、同じコモンサーチスペースを共用する。また、コモンサーチスペースは、非同期ＨＡＲＱをサポートしない端末装置１および非同期ＨＡＲＱをサポートする端末装置１に対して共通のＰＤＣＣＨをブロードキャストする。従って、コモンサーチスペースで送信されるＤＣＩフォーマット０は、従来と同じペイロードサイズであることが好ましい。すなわち、コモンサーチスペースで送信されるＤＣＩフォーマット０は、ＨＡＲＱプロセスの番号を示すための情報を含まない。ＵＥ固有サーチスペースで送信されるＤＣＩフォーマット０のみに、ＨＡＲＱプロセスの番号を示すための情報が含まれる。コモンサーチスペースで受信された上りリンクグラントに対応するＭＡＣ層のデータに対して、常に同期ＨＡＲＱが適用されるようにすることによって、コモンサーチスペースで送信されるＤＣＩフォーマット０にＨＡＲＱプロセスの番号を示すための情報を追加する必要がなくなり、コモンサーチスペースで送信されるＤＣＩフォーマット０のペイロードサイズは従来と同じになる。
【００８８】
図１３は、本実施形態における同期ＨＡＲＱと非同期ＨＡＲＱを切り替える手段の第４の例を示す図である。図１３において、上りリンクにおいて、同期ＨＡＲＱおよび非同期ＨＡＲＱの何れが適用されるかは、ランダムアクセス手順のタイプから導き出される。図１３において、ＲＲＣ層の情報に関わらず、コンテンションベースランダムアクセス手順（contention based random access procedure）に関連するランダムアクセスレスポンスに含まれる上りリンクグラントに対応するＭＡＣ層のデータに対して、常に同期ＨＡＲＱが適用される。図１３において、非コンテンションベースランダムアクセス手順（non-contention based random access procedure）に関連するランダムアクセスレスポンスに含まれる上りリンクグラントに対応するＭＡＣ層のデータに対して、ＲＲＣ層の情報に基づいて、同期ＨＡＲＱまたは非同期ＨＡＲＱが適用される。
【００８９】
図１１から図１３において、プライマリーセルに対して非同期ＨＡＲＱが適用されてもよい。この場合において、プライマリーセルにおけるランダムアクセスメッセージ３の送信に対して同期ＨＡＲＱが適用されてもよい。また、プライマリーセルにおけるコモンサーチスペースで受信された上りリンクグラントに対応するＭＡＣ層のデータに対して、同期ＨＡＲＱが適用されてもよい。
【００９０】
同期ＨＡＲＱと非同期ＨＡＲＱを切り替える手段に関して、図１０から図１３を参照して第１から第４の例を記述してきたが、具体的な構成は第１から第４の例に限られるものではなく、この発明の要旨を逸脱しない範囲の設計変更等も含まれる。また、本実施形態は、第１から第４の例の手段を適宜組み合わせて得られる実施形態についても本発明の技術的範囲に含まれる。
【００９１】
以下、ランダムアクセス手順について説明する。
【００９２】
本実施形態において、プライマリーセルおよびセカンダリーセルにおいてランダムアクセス手順が実行されてもよい。ただし、時間領域における何れのポイントにおいても１つのランダムアクセス手順のみが実行される。すなわち、複数のランダムアクセス手順は同時に実行されない。
【００９３】
本実施形態において、プライマリーセルにおいてコンテンションベースランダムアクセス手順（contention based random access procedure）、および、非コンテンションベースランダムアクセス手順（non-contention based random access procedure）が実行されてもよい。本実施形態において、セカンダリーセルにおいて非コンテンションベースランダムアクセス手順が実行されてもよい。本実施形態において、セカンダリーセルにおいてコンテンションベースランダムアクセス手順は実行されない。
【００９４】
プライマリーセルにおけるＰＲＡＣＨでランダムアクセスプリアンブルが送信されてもよい。端末装置１は、プライマリーセルにおけるランダムアクセス手順に関する情報（ＲＲＣメッセージ）を、基地局装置３から受信する。プライマリーセルにおけるランダムアクセス手順に関する情報は、プライマリーセルにおけるＰＲＡＣＨリソースのセットを示す情報を含む。
【００９５】
セカンダリーセルにおいてＰＲＡＣＨでランダムアクセスプリアンブルが送信されてもよい。端末装置１は、セカンダリーセルにおけるランダムアクセス手順に関する情報（ＲＲＣメッセージ）を、基地局装置３から受信する。セカンダリーセルにおけるランダムアクセス手順に関する情報は、セカンダリーセルにおけるＰＲＡＣＨリソースのセットを示す情報を含む。
【００９６】
コンテンションベースランダムアクセス手順の場合、端末装置１自身によってランダムアクセスプリアンブルのインデックスが選択される。非コンテンションベースランダムアクセス手順の場合、端末装置１によって基地局装置３から受信した情報に基づいてランダムアクセスプリアンブルのインデックスが選択される。基地局装置３から受信した情報のビットの値が全て０である場合、端末装置１によってコンテンションベースランダムアクセス手順が実行され、端末装置１自身によってランダムアクセスプリアンブルのインデックスが選択される。
【００９７】
プライマリーセルまたはセカンダリーセルに対するランダムアクセスレスポンスは、プライマリーセルにおけるＰＤＳＣＨで送信される。ランダムアクセスレスポンスは、上りリンクグラントにマップされる上りリンクグラントフィールド、および、Ｔｅｍｐｏｒａｒｙ  Ｃ−ＲＮＴＩを示すための情報にマップされるＴｅｍｐｏｒａｒｙ  Ｃ−ＲＮＴＩフィールドを含む。ランダムアクセスレスポンスに含まれる上りリンクグラントを、ランダムアクセスレスポンスグラントとも称する。
【００９８】
受信したランダムアクセスレスポンスに、送信したランダムアクセスプリアンブルに対応するランダムアクセスプリアンブル識別子が含まれており、端末装置１によって基地局装置３から受信した情報に基づいてランダムアクセスプリアンブルが選択された場合、移動局装置１は非コンテンションベースランダムアクセス手順が成功裏に完了したとみなし、ランダムアクセスレスポンスに含まれている上りリンクグラントに基づいてＰＵＳＣＨを送信する。
【００９９】
受信したランダムアクセスレスポンスに、送信したランダムアクセスプリアンブルに対応するランダムアクセスプリアンブル識別子が含まれており、端末装置１自身によってランダムアクセスプリアンブルが選択された場合、Ｔｅｍｐｏｒａｒｙ  Ｃ−ＲＮＴＩを受信したランダムアクセスレスポンスに含まれるＴｅｍｐｏｒａｒｙ  Ｃ−ＲＮＴＩフィールドの値にセットし、ランダムアクセスレスポンスに含まれている上りリンクグラントに基づいてＰＵＳＣＨでランダムアクセスメッセージ３を送信する。
【０１００】
ランダムアクセスレスポンスに含まれている上りリンクグラントに対応するＰＵＳＣＨは、対応するプリアンブルがＰＲＡＣＨで送信されたサービングセルにおいて送信される。
【０１０１】
Ｔｅｍｐｏｒａｒｙ  Ｃ−ＲＮＴＩがセットされていない場合、ランダムアクセスレスポンスに含まれる上りリンクグラントに対応するＰＵＳＣＨ、および、同じトランスポートブロックのＰＵＳＣＨ再送信のスクランブリングは、Ｃ−ＲＮＴＩに基づく。
【０１０２】
Ｔｅｍｐｏｒａｒｙ  Ｃ−ＲＮＴＩがセットされている場合、ランダムアクセスレスポンスに含まれる上りリンクグラントに対応するＰＵＳＣＨ、および、同じトランスポートブロックのＰＵＳＣＨ再送信のスクランブリングは、Ｔｅｍｐｏｒａｒｙ  Ｃ−ＲＮＴＩに基づく。
【０１０３】
Ｔｅｍｐｏｒａｒｙ  Ｃ−ＲＮＴＩがセットされている場合、ランダムアクセスレスポンスに含まれる上りリンクグラントに対応するＰＵＳＣＨで送信されたトランスポートブロックのＰＵＳＣＨ再送信は、Ｔｅｍｐｏｒａｒｙ  Ｃ−ＲＮＴＩによってスクランブルされたＣＲＣパリティビットが付加されたＤＣＩフォーマット０によってスケジュールされる。該ＤＣＩフォーマット０はコモンサーチスペース（Common Search Space）のＰＤＣＣＨで送信される。
【０１０４】
図１４は、本実施形態におけるランダムアクセスレスポンスの一例を示す図である。
【０１０５】
下りリンクにおいて、１つのＭＡＣ  ＰＤＵは複数のランダムアクセスレスポンスを含むことができる。図１４において、ＭＡＣ  ＲＡＲ（Random Access Response）はランダムアクセスレスポンスを示す。図１４のＭＡＣ  ＰＤＵは、１つのＭＡＣヘッダー、ｎ個のランダムアクセスレスポンス、および、パディングを含む。図１４において、１つのＭＡＣヘッダーはｎ個のＥ／Ｔ／ＲＡＰＩＤサブヘッダー（Ｅ／Ｔ／ＲＡＰＩＤフィールド）を含む。
【０１０６】
Ｅ／Ｔ／ＲＡＰＩＤサブヘッダーは、Ｅフィールド（Extension field）、Ｔフィールド（Type field）、および、ＲＡＰＩＤフィールド（Random Access Preamble IDentifier field）を含む。Ｅフィールドは、よい多くのフィールドがＭＡＣヘッダーに存在するかどうかを示すフラグである。少なくともＥ／Ｔ／ＲＡＰＩＤフィールドの他のセット続くことを示すために、Ｅフィールドは“１”にセットされる。次のバイトからＭＡＣ  ＲＡＲまたはパディングがスタートすることを示すためにＥフィールドは“０”にセットされる。
【０１０７】
Ｔフィールドは、ＭＡＣサブヘッダーがＲＡＰＩＤフィールド、または、バックオフインディケータフィールドの何れを含むかを示すためのフラグである。ＭＡＣサブヘッダー内のＲＡＰＩＤフィールドの存在を示すために、Ｔフィールドは“１”にセットされる。
【０１０８】
ＲＡＰＩＤフィールドは、送信されたランダムアクセスプリアンブルを特定する。端末装置１は、端末装置１が送信したランダムアクセスプリアンブルがＲＡＰＩＤフィールドに対応している場合、ランダムアクセスレスポンスの受信に成功したとみなし、対応するＭＡＣ  ＲＡＲを処理する。
【０１０９】
ＭＡＣ  ＲＡＲは、Ｒフィールド、タイミングアドバンスコマンドフィールド、上りリンクグラントフィールド、および、Ｔｅｍｐｏｒａｒｙ  Ｃ−ＲＮＴＩフィールドを含む。Ｒフィールドは、０にセットされる保留ビット（reserved bit）である。タイミングアドバンスコマンドフィールドは、ＰＵＳＣＨ／ＳＲＳの送信に対するタイミング調整の量を制御するために用いられるインデックス値ＴＡを示す。
【０１１０】
上りリンクグラントフィールドは、上りリンクにおいて用いられるＰＵＳＣＨのリソースを示す。上りリンクグラントフィールドには、上りリンググラントがマップされる。Ｔｅｍｐｏｒａｒｙ  Ｃ−ＲＮＴＩフィールドは、コンテンションベースランダムアクセス手順の間、端末装置１によって用いられるＴｅｍｐｏｒａｒｙ  Ｃ−ＲＮＴＩを示す。
【０１１１】
ランダムアクセスレスポンス（ＭＡＣ  ＲＡＲ）にはＨＡＲＱプロセスの番号を示す情報が含まれていないため、非コンテンションベースランダムアクセス手順に関連するランダムアクセスレスポンスに含まれる上りリンクグラントに対応するＨＡＲＱプロセスの番号を特定できないという問題がある。
【０１１２】
そこで、非同期ＨＡＲＱが適用されるサービングセルにおける非コンテンションベースランダムアクセス手順に関連するランダムアクセスレスポンスに含まれるＴｅｍｐｏｒａｒｙ  Ｃ−ＲＮＴＩフィールドに、該同じランダムアクセスレスポンスに含まれる上りリンクグラントが対応するＨＡＲＱプロセスの番号を示す情報をマップしてもよい。すなわち、非同期ＨＡＲＱが適用されるサービングセルにおける非コンテンションベースランダムアクセス手順に関連するランダムアクセスレスポンスに含まれるＴｅｍｐｏｒａｒｙ  Ｃ−ＲＮＴＩフィールドは、該同じランダムアクセスレスポンスに含まれる上りリンクグラントが対応するＨＡＲＱプロセスの番号を特定するために再利用されてもよい。
【０１１３】
非同期ＨＡＲＱが適用されるサービングセルにおける非コンテンションベースランダムアクセス手順に関連するランダムアクセスレスポンスに、Ｔｅｍｐｏｒａｒｙ  Ｃ−ＲＮＴＩフィールドの代わりに、ＨＡＲＱ情報フィールドを含めてもよい。また、ＭＡＣ  ＲＡＲに、Ｔｅｍｐｏｒａｒｙ  Ｃ−ＲＮＴＩフィールド、または、ＨＡＲＱ情報フィールドの何れが含まれているかを示すフラグであるＦフィールドを含めてもよい。本実施形態において、Ｆフィールドを含むＭＡＣ  ＲＡＲを、拡張されたＭＡＣ  ＲＡＲと称する。
【０１１４】
ＭＡＣ  ＲＡＲに含まれるＨＡＲＱ情報フィールドは、少なくとも、ＨＡＲＱプロセスの番号を示す情報にマップされる。すなわち、ＭＡＣ  ＲＡＲに含まれるＨＡＲＱ情報フィールドは、少なくとも、ＨＡＲＱプロセスの番号を示すために用いられる。また、ＭＡＣ  ＲＡＲに含まれるＨＡＲＱ情報フィールドは、変調および符号化方式を示すために用いられてもよい。また、ＭＡＣ  ＲＡＲに含まれるＨＡＲＱ情報フィールドは、リダンダンシーヴァージョン（redundancy version）を示すために用いられてもよい。
【０１１５】
図１５は、本実施形態における拡張されたＭＡＣ  ＲＡＲの一例を示す図である。図１５（ａ）は、Ｆフィールドが“０”にセットされる場合の拡張されたＭＡＣ  ＲＡＲの一例を示す図である。拡張されたＭＡＣ  ＲＡＲにＴｅｍｐｏｒａｒｙ  Ｃ−ＲＮＴＩフィールドが含まれる場合、該拡張されたＭＡＣ  ＲＡＲに含まれるＦフィールドは“０”にセットされる。図１５（ｂ）は、Ｆフィールドが“１”にセットされる場合の拡張されたＭＡＣ  ＲＡＲの一例を示す図である。拡張されたＭＡＣ  ＲＡＲにＨＡＲＱ情報フィールドが含まれる場合、該拡張されたＭＡＣ  ＲＡＲに含まれるＦフィールドは“１”にセットされる。
【０１１６】
これにより、端末装置１は、Ｆフィールドによって、拡張されたＭＡＣ  ＲＡＲに含まれるフィールドを識別することができる。また、Ｆフィールドが“０”にセットされる場合、従来の端末装置は、拡張されたＭＡＣ  ＲＡＲを従来のＭＡＣ  ＲＡＲとして認識できる。従って、従来のＭＡＣ  ＲＡＲと拡張されたＭＡＣ  ＲＡＲを１つのＭＡＣ  ＰＤＵ内で多重しても、従来の端末装置は影響されない。
【０１１７】
また、非同期ＨＡＲＱが適用されるサービングセルにおける非コンテンションベースランダムアクセス手順に関連するランダムアクセスレスポンスに含まれる上りリンクグラントが対応するＨＡＲＱプロセスの番号は、特定の値であってもよい。例えば、特定の値は、ＲＲＣ層の情報によって示されてもよい。例えば、特定の値は、サービングセルがＦＤＤであるかＴＤＤあるかに基づいてもよい。例えば、特定の値は、ＵＬ−ＤＬ設定に基づいてもよい。例えば、特定の値は、仕様書などによって予め定められていてもよい。
【０１１８】
また、端末装置１が、非同期ＨＡＲＱが適用されるサービングセルにおける非コンテンションベースランダムアクセス手順に関連するランダムアクセスレスポンスに含まれる上りリンクグラントは無効であるとみなしてもよい。すなわち、端末装置１は、非同期ＨＡＲＱが適用されるサービングセルにおける非コンテンションベースランダムアクセス手順に関連するランダムアクセスレスポンスに含まれる上りリンクグラントを無視／破棄してもよい。
【０１１９】
以下、ＨＡＲＱ機能の再設定／修正（modification）について説明する。
【０１２０】
前述したように、セカンダリーセルに同期ＨＡＲＱと非同期ＨＡＲＱの何れが適用されるかはＲＲＣ層によって制御される。端末装置１は、あるセカンダリーセルに対して、ＨＡＲＱ機能の再設定／修正（modification）が可能である。例えば、端末装置１はＲＲＣ層の情報に従ってあるセカンダリーセルに対して非同期ＨＡＲＱを設定した後に、別のＲＲＣ層の情報に従って該あるセカンダリーセルに対して同期ＨＡＲＱを再設定することができる。例えば、端末装置１はＲＲＣ層の情報に従ってあるセカンダリーセルに対して同期ＨＡＲＱを設定した後に、別のＲＲＣ層の情報に従って該あるセカンダリーセルに対して非同期ＨＡＲＱを再設定することができる。例えば、端末装置１は非同期ＨＡＲＱの有効を示すＲＲＣ層の情報に従ってあるセカンダリーセルに対して非同期ＨＡＲＱを設定した後に、該ＲＲＣ層の情報をリリースし、該あるセカンダリーセルに対して同期ＨＡＲＱを再設定することができる。これによって、ＨＡＲＱ機能を柔軟に制御することができる。ここで、ＲＲＣ層の情報は、同期ＨＡＲＱまたは非同期ＨＡＲＱを指示する。また、ＲＲＣ層の情報は、非同期ＨＡＲＱの有効（enable）を指示する情報であってもよい。
【０１２１】
尚、端末装置１は、ＨＡＲＱ機能の再設定／修正をした後にＲＲＣ完了メッセージを基地局装置３に送信する。基地局装置３は、該ＲＲＣ完了メッセージを受信することによって、端末装置１においてＨＡＲＱ機能として同期ＨＡＲＱと非同期ＨＡＲＱの何れが設定されているかを認識することができる。
【０１２２】
しかしながら、セカンダリーセルに同期ＨＡＲＱおよび非同期ＨＡＲＱの何れが適用されるかによって、該セカンダリーセルに対応するＨＡＲＱエンティティが並行して管理するＨＡＲＱプロセスの最大数が異なる可能性がある。これによって、あるセカンダリーセルに対するＨＡＲＱ機能に関するＲＲＣ層の情報が変更（再設定、リリース）された場合、基地局装置３が、端末装置１が継続しているＨＡＲＱプロセスを認識できなくなる可能性がある。
【０１２３】
そこで、端末装置１は、あるサービングセルに対するＲＲＣ層の情報が変更（再設定、リリース）された場合に、ランダムアクセスメッセージ３に関するバッファを除いて、端末装置１が備える複数のＨＡＲＱバッファのうち該サービングセルに対する複数のＨＡＲＱバッファをフラッシュしてもよい。また、端末装置１は、あるサービングセルに対するＲＲＣ層の情報が変更（再設定、リリース）された場合に、ランダムアクセスメッセージ３に関するＮＤＩを除いて、該サービングセルに対応するＨＡＲＱプロセスに対するＮＤＩを０にセットしてもよい。また、端末装置１および基地局装置３は、あるサービングセルに対するＲＲＣ層の情報が変更（再設定、リリース）された場合に、ランダムアクセスメッセージ３に関する送信を除いて、該サービングセルに対応するＨＡＲＱプロセスに関する次の送信を初期送信だとみなしてもよい。また、端末装置１および基地局装置３は、あるサービングセルに対するＲＲＣ層の情報が変更（再設定、リリース）された場合に、該サービングセルに対応するＨＡＲＱエンティティを初期化してもよい。
【０１２４】
そこで、端末装置１は、あるセカンダリーセルに対するＲＲＣ層の情報が変更（再設定、リリース）された場合に、端末装置１が備える複数のＨＡＲＱバッファのうち該セカンダリーセルに対する複数のＨＡＲＱバッファをフラッシュしてもよい。また、端末装置１は、あるセカンダリーセルに対するＲＲＣ層の情報が変更（再設定、リリース）された場合に、該セカンダリーセルに対応するＨＡＲＱプロセスに対するＮＤＩを０にセットしてもよい。また、端末装置１および基地局装置３は、あるセカンダリーセルに対するＲＲＣ層の情報が変更（再設定、リリース）された場合に、該セカンダリーセルに対応するＨＡＲＱプロセスに関する次の送信を初期送信だとみなしてもよい。また、端末装置１および基地局装置３は、あるセカンダリーセルに対するＲＲＣ層の情報が変更（再設定、リリース）された場合に、該セカンダリーセルに対応するＨＡＲＱエンティティを初期化してもよい。
【０１２５】
これによって、基地局装置３がＨＡＲＱ機能の再設定／修正（modification）を指示するＲＲＣ層の情報を端末装置１に送信した場合に、基地局装置３は、ＨＡＲＱ機能の再設定／修正／後のＨＡＲＱプロセスを適切に制御することが可能になる。
【０１２６】
以下、本実施形態における装置の構成について説明する。
【０１２７】
図１６は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベースバンド部１３を含んで構成される。上位層処理部１４は、媒体アクセス制御層処理部１５、および、無線リソース制御層処理部１６を含んで構成される。無線送受信部１０を送信部、受信部、または、物理層処理部とも称する。
【０１２８】
上位層処理部１４は、ユーザの操作等により生成された上りリンクデータ（トランスポートブロック）を、無線送受信部１０に出力する。上位層処理部１４は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１２９】
上位層処理部１４が備える媒体アクセス制御層処理部１５は、媒体アクセス制御層の処理を行う。媒体アクセス制御層処理部１５は、無線リソース制御層処理部１６によって管理されている各種設定情報／パラメータに基づいて、ＨＡＲＱの制御を行う。媒体アクセス制御層処理部１５は、複数のＨＡＲＱエンティティ、複数のＨＡＲＱプロセス、および、複数のＨＡＲＱバッファを管理する。
【０１３０】
上位層処理部１４が備える無線リソース制御層処理部１６は、無線リソース制御層の処理を行う。無線リソース制御層処理部１６は、自装置の各種設定情報／パラメータの管理をする。無線リソース制御層処理部１６は、基地局装置３から受信したＲＲＣ層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【０１３１】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【０１３２】
ＲＦ部１２は、アンテナ部１１を介して受信した信号を、直交復調によりベースバンド信号に変換し（ダウンコンバート: down covert）、不要な周波数成分を除去する。ＲＦ部１２は、処理をしたアナログ信号をベースバンド部に出力する。
【０１３３】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【０１３４】
ベースバンド部１３は、データを逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【０１３５】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【０１３６】
図１７は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【０１３７】
上位層処理部３４は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１３８】
上位層処理部３４が備える媒体アクセス制御層処理部３５は、媒体アクセス制御層の処理を行う。媒体アクセス制御層処理部１５は、無線リソース制御層処理部１６によって管理されている各種設定情報／パラメータに基づいて、ＨＡＲＱの制御を行う。媒体アクセス制御層処理部１５は、上りリンクデータ（ＵＬ−ＳＣＨ）に対するＡＣＫ／ＮＡＣＫおよびＨＡＲＱ情報を生成する。上りリンクデータ（ＵＬ−ＳＣＨ）に対するＡＣＫ／ＮＡＣＫおよびＨＡＲＱ情報は、ＰＨＩＣＨまたはＰＤＣＣＨで端末装置１に送信される。
【０１３９】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォメーション、ＲＲＣメッセージ、ＭＡＣ  ＣＥ（Control Element）などを生成し、又は上位ノードから取得し、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【０１４０】
無線送受信部３０の機能は、無線送受信部１０と同様であるため説明を省略する。
【０１４１】
以下、本実施形態における、端末装置、および、基地局装置の種々の態様について説明する。
【０１４２】
（１）本実施形態の端末装置は、１つのプライマリーセルおよび１つのセカンダリーセルを含む複数のサービングセルにおいて基地局装置と通信する端末装置であって、非同期ＨＡＲＱを指示するＲＲＣ層の情報を受信する受信部と、プライマリーセルに対応する第１のＨＡＲＱプロセスおよびセカンダリーセルに対応する第２のＨＡＲＱプロセスを管理するＭＡＣ層処理部と、前記第１のＨＡＲＱプロセスおよび前記第２のＨＡＲＱプロセスからの指示に応じて、ＭＡＣ層のデータを送信する送信部と、を備え、前記ＭＡＣ層処理部は、前記非同期ＨＡＲＱを指示するＲＲＣ層の情報が設定されているかどうかに関わらず、前記第１の上りリンクＨＡＲＱプロセスに対して、常に同期ＨＡＲＱを実行するよう指示し、前記非同期ＨＡＲＱを指示するＲＲＣ層の情報が設定されているかどうかに基づいて、前記第２の上りリンクＨＡＲＱプロセスに対して、前記同期ＨＡＲＱまたは前記非同期ＨＡＲＱを実行するよう指示する。
【０１４３】
（２）本実施形態の基地局装置は、１つのプライマリーセルおよび１つのセカンダリーセルを含む複数のサービングセルにおいて端末装置と通信する基地局装置であって、非同期ＨＡＲＱを指示するＲＲＣ層の情報を送信する送信部と、プライマリーセルに対応する第１のＨＡＲＱプロセスおよびセカンダリーセルに対応する第２のＨＡＲＱプロセスを管理するＭＡＣ層処理部と、前記第１のＨＡＲＱプロセスおよび前記第２のＨＡＲＱプロセスからの指示に応じて、ＭＡＣ層のデータを受信する受信部と、を備え、前記ＭＡＣ層処理部は、前記端末装置において前記非同期ＨＡＲＱを指示するＲＲＣ層の情報が設定されているかどうかに関わらず、前記第１の上りリンクＨＡＲＱプロセスに対して、常に同期ＨＡＲＱを実行するよう指示し、前記端末装置において前記非同期ＨＡＲＱを指示するＲＲＣ層の情報が設定されているかどうかに基づいて、前記第２の上りリンクＨＡＲＱプロセスに対して、前記同期ＨＡＲＱまたは前記非同期ＨＡＲＱを実行するよう指示する。
【０１４４】
（３）本実施形態において、前記プライマリーセルは、前記端末装置が初期コネクション確立手順を行ったセル、前記端末装置がコネクション再確立手順を開始したセル、または、ハンドオーバ手順において前記プライマリーセルとして指示されるセルである。
【０１４５】
（４）本実施形態の端末装置は、非同期ＨＡＲＱを指示するＲＲＣ層の情報、および、上りリンクグラントを受信する受信部と、前記上りリンクグラントに応じて、セカンダリーセルにおいてＭＡＣ層のデータを送信する送信部と、を備え、前記非同期ＨＡＲＱを指示するＲＲＣ層の情報が設定されているかどうかに関わらず、Ｔｅｍｐｏｒａｒｙ  Ｃ−ＲＮＴＩによってスクランブルされたＣＲＣパリティビットを含む物理下りリンク制御チャネルで受信した前記上りリンクグラントに対応する前記ＭＡＣ層のデータに対して、常に同期ＨＡＲＱが適用され、Ｃ−ＲＮＴＩによってスクランブルされたＣＲＣパリティビットを含む物理下りリンク制御チャネルで受信した前記上りリンクグラントに対応する前記ＭＡＣ層のデータに対して前記同期ＨＡＲＱおよび前記非同期ＨＡＲＱの何れが適用されるかは、前記非同期ＨＡＲＱを指示するＲＲＣ層の情報が設定されているかどうかに基づく。
【０１４６】
（５）本実施形態の基地局装置は、非同期ＨＡＲＱを指示するＲＲＣ層の情報、および、上りリンクグラントを送信する送信部と、前記上りリンクグラントに応じて、セカンダリーセルにおいてＭＡＣ層のデータを受信する受信部と、を備え、前記端末装置において前記非同期ＨＡＲＱを指示するＲＲＣ層の情報が設定されているかどうかに関わらず、Ｔｅｍｐｏｒａｒｙ  Ｃ−ＲＮＴＩによってスクランブルされたＣＲＣパリティビットを含む物理下りリンク制御チャネルで送信した前記上りリンクグラントに対応する前記ＭＡＣ層のデータに対して、常に同期ＨＡＲＱが適用され、前記端末装置においてＣ−ＲＮＴＩによってスクランブルされたＣＲＣパリティビットを含む物理下りリンク制御チャネルで送信した前記上りリンクグラントに対応する前記ＭＡＣ層のデータに対して前記同期ＨＡＲＱおよび前記非同期ＨＡＲＱの何れが適用されるかは、前記端末装置において前記非同期ＨＡＲＱを指示するＲＲＣ層の情報が設定されているかどうかに基づく。
【０１４７】
（６）本実施形態において、前記端末装置において前記非同期ＨＡＲＱを指示するＲＲＣ層の情報が設定されているかどうかに関わらず、コンテンションベースランダムアクセス手順に関するランダムアクセスレスポンスに含まれる上りリンクグラントに対応する前記ＭＡＣ層のデータに対して、常に前記同期ＨＡＲＱが適用される。
【０１４８】
（７）本実施形態において、非コンテンションベースランダムアクセス手順に関するランダムアクセスレスポンスに含まれる上りリンクグラントに対応する前記ＭＡＣ層のデータに対して前記同期ＨＡＲＱおよび前記非同期ＨＡＲＱの何れが適用されるかは、前記端末装置において前記非同期ＨＡＲＱを指示するＲＲＣ層の情報が設定されているかどうかに基づく。
【０１４９】
（８）本実施形態の端末装置は、前記端末装置において前記非同期ＨＡＲＱを指示するＲＲＣ層の情報が設定されているかどうかに関わらず、ＳＰＳ  Ｃ−ＲＮＴＩによってスクランブルされたＣＲＣパリティビットを含む物理下りリンク制御チャネルで受信した前記上りリンクグラントに対応する前記ＭＡＣ層のデータに対して、常に前記同期ＨＡＲＱが適用される。
【０１５０】
（９）本実施形態の端末装置は、非同期ＨＡＲＱを指示するＲＲＣ層の情報を受信する受信部と、Ｃ−ＲＮＴＩによってスクランブルされたＣＲＣパリティビットを含む物理下りリンク制御チャネルで受信した前記上りリンクグラントに応じて、ＭＡＣ層のデータを送信する送信部と、を備え、前記非同期ＨＡＲＱを指示するＲＲＣ層の情報が設定されているかどうかに関わらず、第１のサーチスペースにおける前記物理下りリンク制御チャネルで受信した前記上りリンクグラントに対応するＭＡＣ層のデータの送信に対して、常に同期ＨＡＲＱが適用され、第２のサーチスペースにおける前記物理下りリンク制御チャネルで受信した前記上りリンクグラントに対応するＭＡＣ層のデータの送信に対して前記同期ＨＡＲＱおよび非同期ＨＡＲＱの何れが適用されるかは、前記非同期ＨＡＲＱを指示するＲＲＣ層の情報が設定されているかどうかに基づく。
【０１５１】
（１０）本実施形態の基地局装置は、非同期ＨＡＲＱを指示するＲＲＣ層の情報を送信する送信部と、Ｃ−ＲＮＴＩによってスクランブルされたＣＲＣパリティビットを含む物理下りリンク制御チャネルで送信した前記上りリンクグラントに応じて、ＭＡＣ層のデータを受信する受信部と、を備え、前記端末装置において前記非同期ＨＡＲＱを指示するＲＲＣ層の情報が設定されているかどうかに関わらず、第１のサーチスペースにおける前記物理下りリンク制御チャネルで送信した前記上りリンクグラントに対応するＭＡＣ層のデータの送信に対して、常に同期ＨＡＲＱが適用され、第２のサーチスペースにおける前記物理下りリンク制御チャネルで送信した前記上りリンクグラントに対応するＭＡＣ層のデータの受信に対して前記同期ＨＡＲＱおよび非同期ＨＡＲＱの何れが適用されるかは、前記端末装置において前記非同期ＨＡＲＱを指示するＲＲＣ層の情報が設定されているかどうかに基づく。
【０１５２】
（１１）本実施形態において、前記第１のサーチスペースは、ＣＳＳ（Common Search Space）であり、前記第２のサーチスペースは、Ｃ−ＲＮＴＩによって与えられるＵＳＳ（UE-specific Search Space）である。
【０１５３】
（１２）本実施形態の端末装置は、セカンダリーセルに対する非同期ＨＡＲＱを指示するＲＲＣ層の情報、および、上りリンクグラントおよびＴｅｍｐｏｒａｒｙ  Ｃ−ＲＮＴＩを示すためのフィールドを含むランダムアクセスレスポンスであり、前記セカンダリーセルにおける非コンテンションベースランダムアクセス手順に関する第１のランダムアクセスレスポンスを受信する受信部と、ＭＡＣ層のデータを送信する送信部と、複数のＨＡＲＱプロセスを管理し、上りリンクグラントに応じて前記ＭＡＣ層のデータを送信するよう前記送信部に指示するＨＡＲＱプロセスに前記上りリンクグラントを渡すＭＡＣ層処理部と、を備え、前記非同期ＨＡＲＱを指示するＲＲＣ層の情報が設定されている場合、前記第１のランダムアクセスレスポンスに含まれる上りリンクグラントを渡すＨＡＲＱプロセスは、前記第１のランダムアクセスレスポンスに含まれるＴｅｍｐｏｒａｒｙ  Ｃ−ＲＮＴＩを示すためのフィールドの値から導き出される。
【０１５４】
（１３）本実施形態の端末装置において、前記非同期ＨＡＲＱを指示するＲＲＣ層の情報が設定されていない場合、前記第１のランダムアクセスレスポンスに含まれる上りリンクグラントを渡すＨＡＲＱプロセスは、前記第１のランダムアクセスレスポンスを受信したサブフレームから導き出される。
【０１５５】
（１４）本実施形態の端末装置において、前記受信部は、前記セカンダリーセルにおけるコンテンションベースランダムアクセス手順に関する第２のランダムアクセスレスポンスを受信し、前記非同期ＨＡＲＱを指示するＲＲＣ層の情報が設定されているかどうかに関わらず、前記第２のランダムアクセスレスポンスに含まれる上りリンクグラントを渡すＨＡＲＱプロセスは、前記第２のランダムアクセスレスポンスを受信したサブフレームから導き出される。
【０１５６】
（１５）本実施形態の基地局装置は、セカンダリーセルに対する非同期ＨＡＲＱを指示するＲＲＣ層の情報、および、上りリンクグラントおよびＴｅｍｐｏｒａｒｙ  Ｃ−ＲＮＴＩを示すためのフィールドを含むランダムアクセスレスポンスであり、前記セカンダリーセルにおける非コンテンションベースランダムアクセス手順に関する第１のランダムアクセスレスポンスを送信する送信部と、ＭＡＣ層のデータを受信する受信部と、複数のＨＡＲＱプロセスを管理するＭＡＣ層処理部と、を備え、前記端末装置において前記非同期ＨＡＲＱを指示するＲＲＣ層の情報が設定されている場合、前記第１のランダムアクセスレスポンスに含まれるＴｅｍｐｏｒａｒｙ  Ｃ−ＲＮＴＩを示すためのフィールドの値は、前記第１のランダムアクセスレスポンスに含まれる上りリンクグラントに対応するＨＡＲＱプロセスを示す。
【０１５７】
（１６）本実施形態の基地局装置において、前記端末装置において前記非同期ＨＡＲＱを指示するＲＲＣ層の情報が設定されていない場合、前記第１のランダムアクセスレスポンスに含まれる上りリンクグラントに対応するＨＡＲＱプロセスは、前記第１のランダムアクセスレスポンスを送信したサブフレームに関連する。
【０１５８】
（１７）本実施形態の基地局装置において、前記送信部は、前記セカンダリーセルにおけるコンテンションベースランダムアクセス手順に関する第２のランダムアクセスレスポンスを送信し、前記非同期ＨＡＲＱを指示するＲＲＣ層の情報が設定されているかどうかに関わらず、前記第２のランダムアクセスレスポンスに含まれる上りリンクグラントに対応するＨＡＲＱプロセスは、前記第２のランダムアクセスレスポンスを送信したサブフレームに関連する。
【０１５９】
（１８）本実施形態の端末装置は、非同期ＨＡＲＱを指示するＲＲＣ層の情報を受信する受信部と、ＭＡＣ層のデータを送信する送信部と、上りリンクグラントに応じて前記ＭＡＣ層のデータを送信するよう前記送信部に指示するＨＡＲＱプロセスに前記上りリンクグラントを渡すＭＡＣ層処理部と、を備え、前記非同期ＨＡＲＱを指示するＲＲＣ層の情報が設定されているかどうかに関わらず、Ｔｅｍｐｏｒａｒｙ  Ｃ−ＲＮＴＩによってスクランブルされたＣＲＣパリティビットを含む物理下りリンク制御チャネルで受信した前記上りリンクグラントを渡すＨＡＲＱプロセスは、前記Ｔｅｍｐｏｒａｒｙ  Ｃ−ＲＮＴＩによってスクランブルされたＣＲＣパリティビットを含む物理下りリンク制御チャネルで前記上りリンクグラントを受信したサブフレームから導き出され、Ｃ−ＲＮＴＩによってスクランブルされたＣＲＣパリティビットを含む物理下りリンク制御チャネルで受信した前記上りリンクグラントを渡すＨＡＲＱプロセスが、前記Ｃ−ＲＮＴＩによってスクランブルされたＣＲＣパリティビットを含む物理下りリンク制御チャネルで受信したＨＡＲＱ情報、および、前記Ｃ−ＲＮＴＩによってスクランブルされたＣＲＣパリティビットを含む物理下りリンク制御チャネルで前記上りリンクグラントを受信したサブフレームの何れから導き出されるかは、前記非同期ＨＡＲＱを指示するＲＲＣ層の情報が設定されているかどうかに基づく。
【０１６０】
（１９）本実施形態の端末装置において、前記非同期ＨＡＲＱを指示するＲＲＣ層の情報が設定されているかどうかに関わらず、コンテンションベースランダムアクセス手順に関するランダムアクセスレスポンスに含まれる上りリンクグラントを渡すＨＡＲＱプロセスは、前記ランダムアクセスレスポンスを受信したサブフレームの番号から導き出される。
【０１６１】
（２０）本実施形態の端末装置において、非コンテンションベースランダムアクセス手順に関するランダムアクセスレスポンスに含まれる上りリンクグラントを渡すＨＡＲＱプロセスが、前記ランダムアクセスレスポンスに含まれる情報、および、前記Ｃ−ＲＮＴＩによってスクランブルされたＣＲＣパリティビットを含む物理下りリンク制御チャネルで前記上りリンクグラントを受信したサブフレームの何れから導き出されるかは、前記非同期ＨＡＲＱを指示するＲＲＣ層の情報が設定されているかどうかに基づく。
【０１６２】
（２１）本実施形態の端末装置において、前記非同期ＨＡＲＱを指示するＲＲＣ層の情報が設定されているかどうかに関わらず、ＳＰＳ  Ｃ−ＲＮＴＩによってスクランブルされたＣＲＣパリティビットを含む物理下りリンク制御チャネルで受信した前記上りリンクグラントを渡すＨＡＲＱプロセスは、前記ＳＰＳ  Ｃ−ＲＮＴＩによってスクランブルされたＣＲＣパリティビットを含む物理下りリンク制御チャネルで前記上りリンクグラントを受信したサブフレームから導き出される。
【０１６３】
（２２）本実施形態の基地局装置は、非同期ＨＡＲＱを指示するＲＲＣ層の情報、および、上りリンクグラントを送信する送信部と、ＭＡＣ層のデータを受信する受信部と、該上りリンクグラントに応じて前記ＭＡＣ層のデータを送信するよう前記送信部に指示するＨＡＲＱプロセスに前記上りリンクグラントを渡すＭＡＣ層処理部と、を備え、前記端末装置において前記非同期ＨＡＲＱを指示するＲＲＣ層の情報が設定されているかどうかに関わらず、Ｔｅｍｐｏｒａｒｙ  Ｃ−ＲＮＴＩによってスクランブルされたＣＲＣパリティビットを含む物理下りリンク制御チャネルで送信した前記上りリンクグラントに対応するＨＡＲＱプロセスは、前記Ｔｅｍｐｏｒａｒｙ  Ｃ−ＲＮＴＩによってスクランブルされたＣＲＣパリティビットを含む物理下りリンク制御チャネルで前記上りリンクグラントを送信したサブフレームに関連し、Ｃ−ＲＮＴＩによってスクランブルされたＣＲＣパリティビットを含む物理下りリンク制御チャネルで送信した前記上りリンクグラントを渡すＨＡＲＱプロセスが、前記Ｃ−ＲＮＴＩによってスクランブルされたＣＲＣパリティビットを含む物理下りリンク制御チャネルで送信したＨＡＲＱ情報によって示されるか、および、前記Ｃ−ＲＮＴＩによってスクランブルされたＣＲＣパリティビットを含む物理下りリンク制御チャネルで前記上りリンクグラントを送信したサブフレームに関連するかは、前記端末装置において前記非同期ＨＡＲＱを指示するＲＲＣ層の情報が設定されているかどうかに基づく。
【０１６４】
（２３）本実施形態の基地局装置において、前記端末装置において前記非同期ＨＡＲＱを指示するＲＲＣ層の情報が設定されているかどうかに関わらず、コンテンションベースランダムアクセス手順に関するランダムアクセスレスポンスに含まれる上りリンクグラントに対応するＨＡＲＱプロセスは、前記ランダムアクセスレスポンスを送信したサブフレームに関連する。
【０１６５】
（２４）本実施形態の基地局装置において、非コンテンションベースランダムアクセス手順に関するランダムアクセスレスポンスに含まれる上りリンクグラントに対応するＨＡＲＱプロセスが、前記ランダムアクセスレスポンスに含まれる情報によって示されるか、および、前記Ｃ−ＲＮＴＩによってスクランブルされたＣＲＣパリティビットを含む物理下りリンク制御チャネルで前記上りリンクグラントを送信したサブフレームに関連するかは、前記非同期ＨＡＲＱを指示するＲＲＣ層の情報が設定されているかどうかに基づく。
【０１６６】
（２５）本実施形態の基地局装置において、前記端末装置において前記非同期ＨＡＲＱを指示するＲＲＣ層の情報が設定されているかどうかに関わらず、ＳＰＳ  Ｃ−ＲＮＴＩによってスクランブルされたＣＲＣパリティビットを含む物理下りリンク制御チャネルで送信した前記上りリンクグラントに対応するＨＡＲＱプロセスは、前記ＳＰＳ  Ｃ−ＲＮＴＩによってスクランブルされたＣＲＣパリティビットを含む物理下りリンク制御チャネルで前記上りリンクグラントを送信したサブフレームに関連する。
【０１６７】
（２６）本実施形態の端末装置は、Ｃ−ＲＮＴＩによってスクランブルされたＣＲＣパリティビットを含む物理下りリンク制御チャネルで上りリンクグラントを受信する受信部と、ＭＡＣ層のデータを送信する送信部と、前記上りリンクグラントを、前記上りリンクグラントに応じて前記ＭＡＣ層のデータを送信するよう前記送信部に指示するＨＡＲＱプロセスに渡すＭＡＣ層処理部と、を備え、非同期ＨＡＲＱを指示するＲＲＣ層の情報が設定されているかどうかに関わらず、第１のサーチスペースにおける前記物理下りリンク制御チャネルで受信した前記上りリンクグラントを渡すＨＡＲＱプロセスは、前記第１のサーチスペースにおける前記物理下りリンク制御チャネルで前記上りリンクグラントを受信したサブフレームから導き出され、第２のサーチスペースにおける前記物理下りリンク制御チャネルで受信した前記上りリンクグラントを渡すＨＡＲＱプロセスが、前記第２のサーチスペースにおける前記物理下りリンク制御チャネルで受信したＨＡＲＱ情報、および、前記第２のサーチスペースにおける物理下りリンク制御チャネルで前記上りリンクグラントを受信したサブフレームの何れから導き出されるかは、前記非同期ＨＡＲＱを指示するＲＲＣ層の情報が設定されているかどうかに基づく。
【０１６８】
（２７）本実施形態の基地局装置は、Ｃ−ＲＮＴＩによってスクランブルされたＣＲＣパリティビットを含む物理下りリンク制御チャネルで上りリンクグラントを送信する送信部と、ＭＡＣ層のデータを受信する受信部と、複数のＨＡＲＱプロセスを管理するＭＡＣ層処理部と、を備え、前記端末装置において非同期ＨＡＲＱを指示するＲＲＣ層の情報が設定されているかどうかに関わらず、第１のサーチスペースにおける前記物理下りリンク制御チャネルで送信した前記上りリンクグラントに対応するＨＡＲＱプロセスは、前記第１のサーチスペースにおける前記物理下りリンク制御チャネルで前記上りリンクグラントを送信したサブフレームに関連し、第２のサーチスペースにおける前記物理下りリンク制御チャネルで送信した前記上りリンクグラントに対応するＨＡＲＱプロセスが、前記第２のサーチスペースにおける前記物理下りリンク制御チャネルで送信したＨＡＲＱ情報によって示されるか、前記第２のサーチスペースにおける物理下りリンク制御チャネルで前記上りリンクグラントを送信したサブフレームに関連するかは、前記端末装置において前記非同期ＨＡＲＱを指示するＲＲＣ層の情報が設定されているかどうかに基づく。
【０１６９】
（２８）本実施形態の端末装置は、セカンダリーセルに対する同期ＨＡＲＱまたは非同期ＨＡＲＱを指示するＲＲＣ層のパラメータを受信する受信部と、前記ＲＲＣ層のパラメータに基づいて、前記セカンダリーセルにおけるＭＡＣ層のデータの送信に対して同期ＨＡＲＱまたは非同期ＨＡＲＱを適用するＭＡＣ層処理部と、ＭＡＣ層のデータがストアされる複数のＨＡＲＱバッファと、を備え、前記ＨＡＲＱ制御部は、前記ＲＲＣ層のパラメータが変更／再設定／リリースされた場合に、前記複数のＨＡＲＱバッファのうち前記セカンダリーセルに対するＨＡＲＱバッファをフラッシュする。
【０１７０】
（２９）本実施形態の端末装置は、セカンダリーセルに対する同期ＨＡＲＱまたは非同期ＨＡＲＱを指示するＲＲＣ層のパラメータを受信する受信部と、前記ＲＲＣ層のパラメータに基づいて、前記セカンダリーセルにおけるＭＡＣ層のデータの送信に対して同期ＨＡＲＱまたは非同期ＨＡＲＱを適用するＭＡＣ層処理部と、を備え、前記ＭＡＣ層処理部は、前記セカンダリーセルにおいて送信されるＭＡＣ層のデータに関するＨＡＲＱプロセスを管理し、前記ＲＲＣ層のパラメータが変更／再設定された場合に、前記ＨＡＲＱプロセスに対するＮＤＩを０にセットする。
【０１７１】
（３０）本実施形態の端末装置は、セカンダリーセルに対する同期ＨＡＲＱまたは非同期ＨＡＲＱを指示するＲＲＣ層のパラメータを受信する受信部と、前記ＲＲＣ層のパラメータに基づいて、前記セカンダリーセルにおけるＭＡＣ層のデータの送信に対して同期ＨＡＲＱまたは非同期ＨＡＲＱを適用するＭＡＣ層処理部と、を備え、前記ＭＡＣ層処理部は、前記セカンダリーセルにおいて送信されるＭＡＣ層のデータに関するＨＡＲＱプロセスを管理し、前記ＲＲＣ層のパラメータが変更／再設定された場合に、前記ＨＡＲＱプロセスに関する次の送信を初期送信だとみなす。
【０１７２】
（３１）本実施形態の端末装置は、セカンダリーセルに対する同期ＨＡＲＱまたは非同期ＨＡＲＱを指示するＲＲＣ層のパラメータを受信する受信部と、前記ＲＲＣ層のパラメータに基づいて、前記セカンダリーセルにおけるＭＡＣ層のデータの送信に対して同期ＨＡＲＱまたは非同期ＨＡＲＱを適用するＭＡＣ層処理部と、を備え、前記ＭＡＣ層処理部は、前記セカンダリーセルにおけるＭＡＣ層のデータに関する複数のＨＡＲＱプロセスを管理するＨＡＲＱエンティティを含み、前記ＲＲＣ層のパラメータが変更／再設定された場合に、前記ＨＡＲＱエンティティを初期化する。
【０１７３】
これにより、端末装置１は、効率的に基地局装置３と通信することができる。
【０１７４】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１７５】
尚、上述した実施形態における端末装置１、基地局装置３の一部をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１７６】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１７７】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１７８】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１７９】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１８０】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１８１】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１８２】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１８３】
１（１Ａ、１Ｂ、１Ｃ）  端末装置
３  基地局装置
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
【図１】
2016171046.tif 000003
【図２】
2016171046.tif 000004
【図３】
2016171046.tif 000005
【図４】
2016171046.tif 000006
【図５】
2016171046.tif 000007
【図６】
2016171046.tif 000008
【図７】
2016171046.tif 000009
【図８】
2016171046.tif 000010
【図９】
2016171046.tif 000011
【図１０】
2016171046.tif 000012
【図１１】
2016171046.tif 000013
【図１２】
2016171046.tif 000014
【図１３】
2016171046.tif 000015
【図１４】
2016171046.tif 000016
【図１５】
2016171046.tif 000017
【図１６】
2016171046.tif 000018
【図１７】
2016171046.tif 000019
【国際調査報告】
2016171046.tif 000020
2016171046.tif 000021
2016171046.tif 000022
2016171046.tif 000023